(57)【要約】【課題】  無線通信部が故障した場合や無線通信が不可能な環境下において情報を読み出し可能にし、汎用性を向上させたタグ、情報読み取り装置、及びタグ情報読み取り補完システムを提供すること。【解決手段】  タグ１は、無線通信部２と、記憶部３及び通信回路４を含むＩＣチップ５と、記憶部３に記憶された情報の一部或いは全てを通信回路４により取り出して情報読み取り装置１０へ出力するための出力端子７，８と、電源部６とを備える。無線通信部２の故障や無線通信が不可能な環境下にある等の理由によりリーダライタ側で記憶部３に記憶された情報を読み出すことが出来ない場合に、出力端子７，８から情報伝送用ケーブル１１を介して情報読み取り装置１０へ情報を取り出すことができる。無線通信部２が故障した場合や無線通信が不可能な環境下において記憶部３に記憶された情報を読み出すことができ、汎用性を向上させたタグ１を実現できる。【選択図】      図１
2005309587.tif 000002
【特許請求の範囲】
【請求項１】
無線通信手段と、情報記憶手段及び通信回路を含むＩＣチップとを備え、前記通信回路は、情報読み取り／書き込み装置から送信される空中伝搬信号を前記無線通信手段で受信し、前記通信回路は受信した前記空中伝搬信号に応答して前記情報記憶手段への情報の書き込みと読み出しを行い、読み出した情報信号を前記無線通信手段から前記情報読み取り／書き込み装置へ送信するタグにおいて、
前記情報記憶手段に記憶された情報の一部或いは全てを前記通信回路により取り出して外部の電子機器へ出力するための出力端子を備えることを特徴とするタグ。
【請求項２】
請求項１に記載のタグにおいて、
前記通信回路により前記情報記憶手段に記憶された情報の一部或いは全てを取り出し、取り出された情報を前記出力端子から出力させる際に、前記ＩＣチップに電源電圧を供給する電源部を備えることを特徴とするタグ。
【請求項３】
請求項１に記載のタグにおいて、
前記通信回路により前記情報記憶手段に記憶された情報の一部或いは全てを取り出し、取り出された情報を前記出力端子から出力させる際に、前記ＩＣチップに前記外部の電子機器側から電源供給用ケーブルを介して電源電圧を供給するための電源端子を備えることを特徴とするタグ。
【請求項４】
請求項２に記載されたタグに用いる情報読み取り装置において、
前記出力端子に接続可能なコネクタを有する情報伝送用ケーブルを備え、
前記タグの通信回路により前記情報記憶手段から取り出され前記情報伝送用ケーブルを介して伝送される前記情報を読み取るように構成されていることを特徴とする情報読み取り装置。
【請求項５】
請求項３に記載されたタグに用いる情報読み取り装置において、
前記出力端子に接続可能なコネクタを有する情報伝送用ケーブルと、
前記電源端子に接続可能なコネクタを有する電源供給用ケーブルとを備え、
前記電源供給用ケーブルを介して前記通信回路に電源電圧を供給し、前記タグの通信回路により前記情報記憶手段から取り出され前記情報伝送用ケーブルを介して伝送される前記情報を読み取るように構成されていることを特徴とする情報読み取り装置。
【請求項６】
請求項４又は５に記載の情報読み取り装置において、
前記情報伝送用ケーブルを介して伝送される前記情報を表示する表示手段を備えることを特徴とする情報読み取り装置。
【請求項７】
タグ情報読み取り補完システムにおいて、
無線通信手段と、情報記憶手段及び通信回路を含むＩＣチップと、前記情報記憶手段に記憶された情報の一部或いは全てを前記通信回路により取り出して出力するための出力端子とを備えたタグと、
前記出力端子に接続可能なコネクタを有する情報伝送用ケーブルを備え、前記タグの通信回路により前記情報記憶手段から取り出された前記情報を読み取る情報読み取り装置と、を備え、
前記情報伝送用ケーブルのコネクタを前記タグの出力端子に接続して、前記情報記憶手段から前記情報を前記通信回路により取り出し、取り出された前記情報を前記情報読み取り装置で読み取ることを特徴とするタグ情報読み取り補完システム。
【発明の詳細な説明】
【技術分野】
【０００１】
本発明は、各種製品等の被装着体に取り付けて使用される非接触式ＩＣカードとしてのタグ、情報読み取り装置、及びタグ情報読み取り補完システムに関する。
【背景技術】
【０００２】
最近、内蔵のＩＣチップへの情報の書き込みとＩＣチップからの情報の読み出しとを、ＲＦＩＤ（Ｒａｄｉｏ  Ｆｒｅｑｕｅｎｃｙ  Ｉｄｅｎｔｉｆｉｃｉｏｎ：無線周波数識別）技術を用いた無線通信により非接触で行える非接触式ＩＣカード（ＲＦ−ＩＤタグ）が知られている（例えば、特許文献１及び特許文献２参照）。このようなＲＦ−ＩＤタグ（以下、単に「タグ」という）は、各種の情報が記憶部に記憶されるＩＣチップと、ＩＣチップに電気的に接続され、その記憶部への情報の書き込みと読み出しを行うために、情報読み取り／書き込み装置（リーダライタ）との間でデータ信号を送受信するアンテナコイル等を備えている。また、ＩＣチップの記憶部から読み出した情報を表示するための表示部を備えたタグも知られている（例えば、特許文献３参照）。
【０００３】
このようなタグとの間で無線通信を行い、タグから情報の読み出し等を行う情報読み取り／書き込み装置（リーダライタ）として、例えば特許文献４に記載されたカードリーダが知られている。なお、タグとリーダライタとの間の無線通信は、例えば１３．５６ＭＨｚの周波数帯の電波を用いて行われる。
【特許文献１】特開２００２−４９９０１号公報
【特許文献２】特開２００４−３８７０２号公報
【特許文献３】特開２０００−５７２９３号公報
【特許文献４】特開２００３−１９６６１５号公報
【発明の開示】
【発明が解決しようとする課題】
【０００４】
ところで、上記特許文献１〜３に記載されているような従来のタグでは、次のような場合、タグから情報を読み出すことが出来なくなる。
・アンテナコイル等を含む無線通信部の故障がタグとリーダライタのいずれかで発生した場合。
【０００５】
・周囲の空間に伝搬する妨害電波等により、タグとリーダライタとの間で無線通信が不可能になる場合。
・タグとの無線通信に用いる電波の周波数帯域が国や地域により異なることがあり、リーダライタ側から発せられる電波の周波数がタグの無線通信部で受信可能な周波数と異なる場合。
【０００６】
本発明は、このような事情に鑑みてなされたもので、その目的は、無線通信部が故障した場合や無線通信が不可能な環境下において情報を読み出し可能にし、汎用性を向上させたタグ、情報読み取り装置、及びタグ情報読み取り補完システムを提供することにある。
【課題を解決するための手段】
【０００７】
本発明におけるタグは、無線通信手段と、情報記憶手段及び通信回路を含むＩＣチップとを備え、前記通信回路は、情報読み取り／書き込み装置から送信される空中伝搬信号を前記無線通信手段で受信し、前記通信回路は受信した前記空中伝搬信号に応答して前記情報記憶手段への情報の書き込みと読み出しを行い、読み出した情報信号を前記無線通信手段から前記情報読み取り／書き込み装置へ送信するタグにおいて、前記情報記憶手段に記
憶された情報の一部或いは全てを前記通信回路により取り出して外部の電子機器へ出力するための出力端子を備えることを要旨とする。
【０００８】
これによれば、無線通信手段の故障や、タグとリーダライタとの間での無線通信が不可能等の理由によりリーダライタ側で情報記憶手段に記憶された情報を読み出すことが出来ない場合に、出力端子からケーブルを介して外部の電子機器へ情報を取り出すことができる。したがって、無線通信部（無線通信手段）が故障した場合や無線通信が不可能な環境下において情報を読み出すことができ、汎用性を向上させたタグを実現することができる。
【０００９】
このタグにおいて、前記通信回路により前記情報記憶手段に記憶された情報の一部或いは全てを取り出し、取り出された情報を前記出力端子から出力させる際に、前記ＩＣチップに電源電圧を供給する電源部を備えることを要旨とする。
【００１０】
これによれば、通信回路により情報記憶手段に記憶された情報の一部或いは全てを取り出し、取り出された情報を出力端子から出力させる際に、ＩＣチップに電源電圧を供給する電源部を備えているので、電源電圧を外部の電子機器からタグに供給するためのケーブルが不要である。これにより、タグと外部の電子機器とを接続するケーブルは１本で済む。したがって、タグ１と外部の電子機器の接続が容易である。
【００１１】
このタグにおいて、前記通信回路により前記情報記憶手段に記憶された情報の一部或いは全てを取り出し、取り出された情報を前記出力端子から出力させる際に、前記ＩＣチップに前記外部の電子機器側から電源供給用ケーブルを介して電源電圧を供給するための電源端子を備えることを要旨とする。
【００１２】
これによれば、ＩＣチップに外部の電子機器側から電源供給用ケーブルを介して電源電圧を供給するための電源端子を備えているので、タグ内に電源部を設ける必要がない。このため、電源部の無い上記従来のタグと同様に、電源部の寿命に影響されないタグを実現できる。
【００１３】
本発明における情報読み取り装置は、前記出力端子に接続可能なコネクタを有する情報伝送用ケーブルを備え、前記タグの通信回路により前記情報記憶手段から取り出され前記情報伝送用ケーブルを介して伝送される前記情報を読み取るように構成されていることを要旨とする。
【００１４】
これによれば、タグの出力端子に情報読み取り装置の情報伝送用ケーブルのコネクタを接続することで、タグの情報を情報読み取り装置側で読み取ることができる。
本発明における情報読み取り装置は、前記出力端子に接続可能なコネクタを有する情報伝送用ケーブルと、前記電源端子に接続可能なコネクタを有する電源供給用ケーブルとを備え、前記電源供給用ケーブルを介して前記通信回路に電源電圧を供給し、前記タグの通信回路により前記情報記憶手段から取り出され前記情報伝送用ケーブルを介して伝送される前記情報を読み取るように構成されていることを要旨とする。
【００１５】
これによれば、情報伝送用ケーブルと電源供給用ケーブルとを備え、情報伝送用ケーブルのコネクタの接続端子をタグの出力端子に接続するとともに、電源供給用ケーブルのコネクタの接続端子をタグの電源端子にそれぞれ接続する。これにより、情報読み取り装置内の電源部から電源電圧が電源供給用ケーブルを介してタグのＩＣチップに供給されるので、ＩＣチップの通信回路により記憶部から情報が取り出され、取り出された情報を伝送用ケーブルを介して読み取ることができる。
【００１６】
この情報読み取り装置において、前記情報伝送用ケーブルを介して伝送される前記情報を表示する表示手段を備えることを要旨とする。
これによれば、情報読み取り装置は表示部を備えているので、読み取ったタグの情報を表示手段に表示させることができる。
【００１７】
本発明におけるタグ情報読み取り補完システムは、無線通信手段と、情報記憶手段及び通信回路を含むＩＣチップと、前記情報記憶手段に記憶された情報の一部或いは全てを前記通信回路により取り出して出力するための出力端子とを備えたタグと、前記出力端子に接続可能なコネクタを有する情報伝送用ケーブルを備え、前記タグの通信回路により前記情報記憶手段から取り出された前記情報を読み取る情報読み取り装置と、を備え、前記情報伝送用ケーブルのコネクタを前記タグの出力端子に接続して、前記情報記憶手段から前記情報を前記通信回路により取り出し、取り出された前記情報を前記情報読み取り装置で読み取ることを要旨とする。
【００１８】
これによれば、無線通信手段の故障や、タグとリーダライタとの間での無線通信が不可能等の理由によりリーダライタ側で情報記憶手段に記憶された情報を読み出すことが出来ない場合に、タグの通信回路により情報記憶手段から取り出された情報を出力端子及び情報伝送用ケーブルを介して情報読み取り装置へ取り出すことができる。したがって、無線通信部が故障した場合や無線通信が不可能な環境下において情報を読み出すことができ、タグの汎用性を向上させることができる。
【発明を実施するための最良の形態】
【００１９】
以下、本発明を具体化した各実施形態を図面に基づいて説明する。
[第１実施形態]
本発明の第１実施形態に係るタグを図１に基づいて説明する。
【００２０】
図１は本発明の第１実施形態に係るタグの概略構成を示している。図１では、タグ１と、これに接続した専用の情報読み取り装置１０が示されている。
図１に示すタグ１は、内蔵のＩＣチップへの情報の書き込みとＩＣチップからの情報の読み出しとを、ＲＦＩＤ（無線周波数識別）技術を用いた無線通信により行える非接触式ＩＣカード（ＲＦ−ＩＤタグ）である。このタグ１には、専用の情報読み取り／書き込み装置（以下、「リーダライタ」という）が使用される。なお、タグ１とリーダライタとの間の無線通信は、例えば１３．５６ＭＨｚの周波数帯の電波を用いて行われる。
【００２１】
タグ１は、無線通信手段としての無線通信部２と、情報記憶手段としての記憶部３及び通信回路４を含むＩＣチップ５と、記憶部３に記憶された情報の一部或いは全てを通信回路４により取り出して専用の情報読み取り装置（外部の電子機器）１０へ出力するための出力端子７，８と、電源部６とを備えている。
【００２２】
タグ１は、無線通信部２、記憶部３及び通信回路４を含むＩＣチップ５、出力端子７，８、及び電源部６を基板（図示省略）に実装し、これら全体を密封するように封止した薄い板状の形態を有する。
【００２３】
無線通信部２は、アンテナコイル２ａとコンデンサ（図示省略）とからなる共振回路を備え、リーダライタとの間で空中伝搬信号としての電波信号の送受信を行う。無線通信部２で受信した電波信号は、通信回路４へ送られる。この電波信号は、例えば、１３．５６ＭＨｚの搬送波を信号で変調した電波（空中伝搬信号）である。また、無線通信部２は、通信回路４から送られるデータ信号（記憶部３から読み出した情報を含む信号）を、電波信号として放射する。
【００２４】
タグ１を専用のリーダライタと無線通信可能な位置、例えばリーダライタに近い位置に置くと（リーダライタにかざすと）、タグ１のアンテナコイル２ａに電源電圧が電磁誘導により発生する。この電源電圧がアンテナコイル２ａを通じてＩＣチップ５に供給されることで、タグ１とリーダライタとの間で、記憶部３への情報の書き込みとその記憶部３からの情報の読み出しとを行うための無線通信が行われる。
【００２５】
記憶部３には、タグ１が取り付けられる製品等に関する各種の情報が記憶される。
通信回路４は、アンテナコイル２ａと電気的に接続されており、無線通信部２で受信した電波信号に応答して記憶部３への情報の書き込みと読み出しを行い、読み出した情報（データ）を含むデータ信号を無線通信部２へ送るようになっている。このデータ信号は、例えば、周波数が１３．５６ＭＨｚの信号を読み出した情報（データ）で変調した信号である。
【００２６】
出力端子７，８は、それぞれ配線９を介してＩＣチップ５と電気的に接続されている。タグ１の出力端子７，８に近い端部には、コネクタ１２の接続端子１３，１４が差し込まれ、これらの接続端子１３，１４が出力端子７，８とそれぞれ電気的に接続されるようにするためのソケット（図示省略）が形成されている。このコネクタ１２は、情報読み取り装置１０に一端側が電気的に接続された情報伝送用ケーブル１１の他端側に設けられている。
【００２７】
電源部６は、通信回路４により記憶部３に記憶された情報の一部或いは全てを取り出し、取り出された情報を出力端子７，８から出力させる際に、ＩＣチップ５に電源電圧を供給するためのものである。つまり、この電源部６は、上述した無線通信部の故障等の理由によりタグ１とリーダライタとの間で無線通信が不可能になり、リーダライタ側で記憶部３に記憶された情報を読み出すことが出来ない場合に、ＩＣチップ５の記憶部３及び通信回路４を動作させるための電源電圧をＩＣチップ５に供給するためのものである。
【００２８】
コネクタ１２の接続端子１３，１４をタグ１の前記ソケットに差し込んでいないときには、電源部６はＩＣチップ５の記憶部３及び通信回路４から電気的に切り離された非接続状態になり、接続端子１３，１４をタグ１の前記ソケットに差し込むと、電源部６が記憶部３及び通信回路４と電気的に接続された状態になるように構成されている。
【００２９】
次に、本発明の第１実施形態に係る情報読み取り装置を、図１に基づいて説明する。
図１に示す第１実施形態に係る情報読み取り装置１０は、上記第１実施形態に係るタグ１に用いる。この情報読み取り装置１０は、タグ１の出力端子７，８に接続可能なコネクタ１２を有する情報伝送用ケーブル１１を備え、タグ１の通信回路４により記憶部３から取り出された情報を情報伝送用ケーブル１１を介して読み取るように構成されている。この情報読み取り装置１０は、タグ１から読み取る情報を表示する表示手段としての表示部２０を備えている。情報読み取り装置１０は、読み取る情報を文字、数字、アルファベット、バーコード等を使用して行うようになっている。
【００３０】
次に、本発明の第１実施形態に係るタグ情報読み取り補完システムを、図１に基づいて説明する。
第１実施形態に係るタグ情報読み取り補完システムは、上記タグ１と情報読み取り装置１０とを備え、情報伝送用ケーブル１１のコネクタ１２の接続端子１３，１４をタグ１の出力端子７，８に接続して、記憶部３から前記情報を通信回路４により取り出し、取り出された前記情報を情報読み取り装置１０で読み取るように構成されている。
【００３１】
以上のように構成された第１実施形態によれば、以下の作用効果を奏する。
○タグ１は記憶部３に記憶された情報の一部或いは全てを通信回路４により取り出して
専用の情報読み取り装置１０へ出力するための出力端子７，８を備えている。この構成により、無線通信部２の故障や、タグ１とリーダライタとの間での無線通信が不可能等の理由によりリーダライタ側で記憶部３に記憶された情報を読み出すことが出来ない場合に、その出力端子７，８からケーブルを介して外部の電子機器へ情報を取り出すことができる。例えば、出力端子７，８から情報伝送用ケーブル１１を介して専用の情報読み取り装置１０へ情報を取り出すことができる。したがって、無線通信部２が故障した場合や無線通信が不可能な環境下において情報を読み出すことができ、汎用性を向上させたタグを実現することができる。
【００３２】
○タグ１は、通信回路４により記憶部３に記憶された情報の一部或いは全てを取り出し、取り出された情報を出力端子７，８から出力させる際に、ＩＣチップ５に電源電圧を供給する電源部６を備えている。つまり、タグ１は、上述した無線通信部２の故障等の理由によりリーダライタ側で記憶部３に記憶された情報を読み出すことが出来ない場合に、ＩＣチップ５を動作させるための電源電圧を通信回路４に供給する電源部６を備えている。この構成により、通信回路４により記憶部３に記憶された情報の一部或いは全てを取り出し、取り出された情報を出力端子７，８から出力させる際に、電源電圧を外部の電子機器からタグ１に供給するためのケーブルが不要である。例えば、電源電圧を専用の情報読み取り装置１０からタグ１に供給するためのケーブルが不要である。これにより、タグ１と情報読み取り装置１０とを接続するケーブルは１本で済む。したがって、タグ１と情報読み取り装置１０（外部の電子機器）の接続が容易である。
【００３３】
○コネクタ１２の接続端子１３，１４をタグ１の前記ソケットに差し込んでいないときには、電源部６はＩＣチップ５の記憶部３及び通信回路４から電気的に切り離された非接続状態になり、接続端子１３，１４をタグ１の前記ソケットに差し込むと、電源部６が記憶部３及び通信回路４と電気的に接続された状態になるように構成されている。この構成により、電源部６をＩＣチップ５に選択的に切り換えるスイッチをタグ１に設ける必要が無い。
【００３４】
○第１実施形態に係る情報読み取り装置１０は、タグ１の出力端子７，８に接続可能なコネクタ１２を有する情報伝送用ケーブル１１を備え、タグ１の通信回路４により記憶部３から取り出され情報伝送用ケーブル１１を介して伝送される情報を読み取るように構成されている。この構成により、上記第１実施形態に係るタグ１の出力端子７，８に情報読み取り装置１０の情報伝送用ケーブル１１のコネクタ１２を接続することで、タグ１の情報を情報読み取り装置１０側で読み取ることができる。
【００３５】
○情報読み取り装置１０は表示部２０を備えているので、読み取ったタグ１の情報を表示部２０に表示させることができる。
○第１実施形態に係るタグ情報読み取り補完システムは、タグ１と情報読み取り装置１０とを備え、情報伝送用ケーブル１１のコネクタ１２の接続端子１３，１４をタグ１の出力端子７，８に接続した状態で、記憶部３から前記情報を通信回路４により取り出し、取り出した前記情報を情報読み取り装置１０で読み取るように構成されている。この構成により、無線通信部２の故障や、タグ１とリーダライタとの間での無線通信が不可能等の理由によりリーダライタ側で記憶部３に記憶された情報を読み出すことが出来ない場合に、タグ１の通信回路４により記憶部３から取り出された情報を出力端子７，８及び情報伝送用ケーブル１１を介して情報読み取り装置１０へ取り出すことができる。したがって、無線通信部が故障した場合や無線通信が不可能な環境下において情報を読み出すことができ、タグの汎用性を向上させることができる。
【００３６】
[第２実施形態]
次に、本発明の第２実施形態に係るタグ１Ａを図２に基づいて説明する。
このタグ１Ａは、ＩＣチップ５に外部の電子機器側から電源供給用ケーブル４１を介して電源電圧を供給するための電源端子３１，３２を備える点で、上記第１実施形態のタグ１とは異なる。従って、本例のタグ１Ａには、第１実施形態のタグ１に設けられている電源部６が無い。
【００３７】
電源端子３１，３２は、それぞれ配線３３，３４を介してＩＣチップ５と電気的に接続されている。タグ１Ａの電源端子３１，３２に近い端部には、コネクタ４２の接続端子４３，４４が差し込まれ、これらの接続端子４３，４４が電源端子３１，３２とそれぞれ電気的に接続されるようにするための電源端子用ソケット（図示省略）が形成されている。このコネクタ４２は、情報読み取り装置１０Ａに一端側が電気的に接続された電源供給用ケーブル４１の他端側に設けられている。
【００３８】
そして、コネクタ４２の接続端子４３，４４をタグ１Ａの電源端子用ソケットに差し込むと、タグ１ＡのＩＣチップ５に、外部の電子機器としての情報読み取り装置１０Ａ側から電源供給用ケーブル４１及び電源端子３１，３２を介して電源電圧が供給されるようになる。
【００３９】
このようなタグ１Ａに使用される第２実施形態に係る情報読み取り装置１０Ａは、図２に示すように、上記情報伝送用ケーブル１１と、電源端子３１，３２に接続可能なコネクタ４２を有する電源供給用ケーブル４１とを備える。コネクタ４２の接続端子４３，４４をタグ１の電源端子用ソケット（図示省略）に差し込むと、接続端子４３，４４が電源端子３１，３２と電気的に接続され、情報読み取り装置１０Ａ内の電源部（図示省略）から電源電圧が電源供給用ケーブル４１を介してタグ１ＡのＩＣチップ５に供給されるようになる。
【００４０】
そして、情報読み取り装置１０Ａは、電源供給用ケーブル４１を介してタグ１ＡのＩＣチップ５に電源電圧を供給し、ＩＣチップ５の通信回路４により記憶部３から取り出された情報を情報伝送用ケーブル１１を介して読み取るように構成されている。
【００４１】
なお、この情報読み取り装置１０Ａには、図１に示す上記情報読み取り装置１０のような表示部２０が無い。そのため、情報伝送用ケーブル１１を介してタグ１Ａから読み取った情報を外部の表示装置或いは外部の電子機器の表示部に表示させる必要のある場合には、情報読み取り装置１０Ａ側から外部の表示装置或いは外部の電子機器側へ情報をケーブルを介して或いは赤外線通信等により非接触で伝送する構成が必要になる。
【００４２】
そして、情報読み取り装置１０Ａは、電源供給用ケーブル４１を介してタグ１ＡのＩＣチップ５に電源電圧を供給し、ＩＣチップ５の記憶部３から前記情報を通信回路４により取り出し、取り出された前記情報を情報読み取り装置１０Ａで読み取るように構成されている。
【００４３】
次に、本発明の第２実施形態に係るタグ情報読み取り補完システムを、図２に基づいて説明する。
第２実施形態に係るタグ情報読み取り補完システムは、上記タグ１Ａと情報読み取り装置１０Ａとを備え、情報伝送用ケーブル１１のコネクタ１２の接続端子１３，１４をタグ１の出力端子７，８に接続するとともに、電源供給用ケーブル４１のコネクタ４２の接続端子４３，４４をタグ１Ａの電源端子３１，３２に接続することで構成される。これにより、タグ１ＡのＩＣチップ５に、情報読み取り装置１０Ａ側から電源供給用ケーブル４１及び電源端子３１，３２を介して電源電圧が供給され、記憶部３から前記情報を通信回路４により取り出し、取り出した前記情報を情報読み取り装置１０Ａで読み取るように構成されている。
【００４４】
以上のように構成された第２実施形態によれば、以下の作用効果を奏する。
○上記第１実施形態と同様に、無線通信部２が故障した場合や無線通信が不可能な環境下において情報を読み出すことができ、汎用性を向上させたタグを実現することができる。
【００４５】
○このタグ１Ａは、ＩＣチップ５に外部の電子機器側から電源供給用ケーブル４１を介して電源電圧を供給するための電源端子３１，３２を備えているので、タグ１Ａ内に電源部を設ける必要がない。このため、電源部の無い上記従来のタグと同様に、電源部の寿命に影響されないタグを実現できる。
【００４６】
○第２実施形態に係る情報読み取り装置１０Ａは、情報伝送用ケーブル１１と電源供給用ケーブル４１とを備え、情報伝送用ケーブル１１のコネクタ１２の接続端子１３，１４をタグ１Ａの出力端子７，８に接続するとともに、電源供給用ケーブル４１のコネクタ４２の接続端子４３，４４をタグ１Ａの電源端子３１，３２にそれぞれ接続する。これにより、情報読み取り装置１０Ａ内の電源部（図示省略）から電源電圧が電源供給用ケーブル４１を介してタグ１ＡのＩＣチップ５に供給されるので、ＩＣチップ５の通信回路４により記憶部３から取り出され、取り出された情報を情報伝送用ケーブル１１を介して読み取ることができる。
【００４７】
○第２実施形態に係るタグ情報読み取り補完システムは、タグ１Ａと情報読み取り装置１０Ａとを備え、情報伝送用ケーブル１１のコネクタ１２の接続端子１３，１４をタグ１Ａの出力端子７，８に接続するとともに、電源供給用ケーブル４１のコネクタ４２の接続端子４３，４４をタグ１Ａの電源端子３１，３２に接続することで構成される。これにより、電源部の無いタグ１ＡのＩＣチップ５に、情報読み取り装置１０Ａ側から電源供給用ケーブル４１及び電源端子３１，３２を介して電源電圧が供給される。このため、記憶部３から前記情報を通信回路４により取り出し、取り出した前記情報を情報読み取り装置１０Ａで読み取ることができる。
【００４８】
[変形例]
なお、この発明は以下のように変更して具体化することもできる。
・上記第１実施形態では、コネクタ１２の接続端子１３，１４をタグ１の前記ソケットに差し込んでいないときには、電源部６はＩＣチップ５の記憶部３及び通信回路４から電気的に切り離された非接続状態になる。また、接続端子１３，１４をタグ１の前記ソケットに差し込むと、電源部６が記憶部３及び通信回路４と電気的に接続された状態になるように構成されている。本発明はこのような構成に限定されず、電源部６とＩＣチップ５との電気的接続を選択的に切り換えるスイッチをタグ１に設けた構成にも適用可能である。上記第２実施形態においても同様の構成をとり得る。
【００４９】
・上記第１実施形態では、書籍等の各種の製品や、病院で患者さんに用いる点滴の容器等に取り付けられるタグ１の一例について説明したが、出力端子７，８を有するタグ１を携帯電話等の携帯端末機器に内蔵したタグにも本発明は適用される。この場合、タグ１の出力端子７，８と電気的に接続されるコネクタ１２の接続端子１３，１４を差し込むためのソケット或いは端子差し込み口は、タグ自体に設ける必要がなく、携帯電話等の携帯端末機器に設けられる各種のソケットと同様、機器本体の側面に設けられる。
【図面の簡単な説明】
【００５０】
【図１】第１実施形態に係るタグの概略構成をこれに接続した専用の情報読み取り装置と共に示したブロック図。
【図２】第２実施形態に係るタグの概略構成をこれに接続した専用の情報読み取り装置と共に示したブロック図。
【符号の説明】
【００５１】
１，１Ａ…タグ、２…無線通信手段としての無線通信部、３…情報記憶手段としての記憶部、４…通信回路、５…ＩＣチップ、６…電源部、７，８…出力端子、１０，１０Ａ…情報読み取り装置、１１…情報伝送用ケーブル、１２，４２…コネクタ、１３，１４、４３，４４…接続端子、３１，３２…電源端子、４１…電源供給用ケーブル。
【図１】
2005309587.tif 000003
【図２】
2005309587.tif 000004